(57)【要約】【課題】ＲＳＤＳインターフェースにおける配線形態に拘わらず、同一特性の出力信号を得ることができる。【解決手段】正相及び逆相出力端を有し、前記正相及び逆相出力端相互間に接続された終端抵抗Ｒtに、中心電圧制御用の基準信号に基づく中心電圧の規定の出力信号を発生させる出力部４と、前記終端抵抗の複製である複数の複製終端抵抗Ｒt1〜Ｒt4及び前記出力部４の複製である複製出力部を有し、前記複数の複製終端抵抗Ｒt1〜Ｒt4同士の接続点の電圧を前記出力信号の中心電圧に一致させるための信号を発生して前記出力部４に前記中心電圧制御用の基準信号として与える制御手段５と、前記複数の複製終端抵抗Ｒt1〜Ｒt4同士の接続点のうち、前記正相及び逆相出力端相互間の抵抗値に応じた抵抗値を呈する接続点の電圧を前記制御手段５に与える切換え手段６とを具備したことを特徴とする。【選択図】      図２
2005086511.tif 000002
【特許請求の範囲】
【請求項１】
基準電圧信号が与えられて、前記基準電圧信号に基づく中心電圧レベルの差動信号を出力する差動信号出力回路と、
前記差動信号出力回路の出力端に接続される配線の配線形態に応じた複数の前記基準電圧信号を発生する基準電圧信号発生手段と、
前記差動信号出力回路の出力端に接続される配線の配線形態に基づいて前記複数の前記基準電圧信号のうちの１つを選択する切換え手段を含み、前記切換え手段が選択した前記基準電圧信号を前記差動信号出力回路に与える制御手段とを具備したことを特徴とする小振幅差動信号装置。
【請求項２】
前記基準電圧信号発生手段及び前記制御手段は、前記差動信号出力回路に含まれる回路と同等の回路を含んでいることを特徴とする請求項１に記載の半導体装置。
【請求項３】
正相及び逆相出力端を有し、前記正相及び逆相出力端相互間に接続された終端抵抗に、中心電圧制御用の基準電圧信号に基づく中心電圧の規定の出力信号を発生させる出力部と、
前記終端抵抗に相当する抵抗値を有する複数の複製終端抵抗及び前記出力部の回路と同等の複製出力部を有し、前記複数の複製終端抵抗同士の接続点の電圧を前記出力信号の中心電圧に一致させるための信号を発生して前記出力部に前記中心電圧制御用の基準電圧信号として与える制御手段と、
前記複数の複製終端抵抗同士の接続点のうち、前記正相及び逆相出力端相互間の抵抗値に応じた抵抗値を呈する接続点の電圧を前記制御手段に与える切換え手段とを具備したことを特徴とする小振幅差動信号装置。
【請求項４】
前記制御手段は、一方入力端に前記複製終端抵抗同士の接続点の電圧が与えられ、他方入力端に設定しようとする前記中心電圧に相当する電圧が与えられて、前記一方入力端の電圧を前記他方入力端の電圧に一致させるようにフィードバックループを構成する比較器を有することを特徴とする請求項３に記載の小振幅差動信号装置。
【請求項５】
前記切換え手段は、前記複数の複製終端抵抗同士の接続点のうち、前記正相及び逆相出力端相互間の抵抗値に応じた抵抗値を呈する接続点の電圧を前記比較器の一方入力端に与えるスイッチによって構成されることを特徴とする請求項３に記載の小振幅差動信号装置。
【請求項６】
前記複製終端抵抗は、総抵抗値の１／２の抵抗値を呈する接続点及び総抵抗値の１／４の抵抗値を呈する接続点を有することを特徴とする請求項３に記載の小振幅差動信号装置。
【請求項７】
前記切換え手段は、前記出力部の正相及び逆相出力端相互間に直列に１つの終端抵抗が接続された場合には、前記複製終端抵抗同士の接続点のうち総抵抗値の１／２の抵抗値を呈する接続点の電圧を前記制御手段に与え、前記出力部の正相及び逆相出力端相互間に並列に２つの終端抵抗が接続された場合には、前記複製終端抵抗同士の接続点のうち総抵抗値の１／４の抵抗値を呈する接続点の電圧を前記制御手段に与えることを特徴とする請求項３に記載の小振幅差動信号装置。
【発明の詳細な説明】
【技術分野】
【０００１】
本発明は、フラット・パネル・ディスプレイに採用されるリデュース・スウィング・ディファレンシャル・シグナル・インターフェースに好適な小振幅差動信号装置に関する。
【背景技術】
【０００２】
近年、液晶パネル等のフラット・パネル・ディスプレイ（ＦＰＤ）が普及しており、ＦＰＤを利用した電子機器も多く商品化されている。このようなＦＰＤ等においては、画素数の増大、内部信号伝送速度の高速化により、消費電力の低減、ＥＭＩ(Electro Magnetic Interference)の低減等を十分に考慮する必要がある。
【０００３】
これらの特性を考慮して、近年、小振幅差動信号を用いたインターフェースが開発されている。例えば、パーソナルコンピュータのグラフィックコントローラ等と表示ディスプレイパネルとの間の信号伝送には標準仕様（ＡＮＳＩ／ＴＩＡ／ＥＩＡ−６４４−Ａ）で規定されているＬＶＤＳインタフェースが採用され、また、表示ディスプレイパネル内の画像信号等の伝送には、ＲＳＤＳ（Reduced Swing Differential Signaling）インターフェースが採用される。ＲＳＤＳインターフェースは、例えば、ＴＦＴパネルの各ソース線を駆動する複数のソースドライバに画像信号を伝送するために用いられる。ＲＳＤＳインタフェース技術は、例えば、ノートブックＰＣやＬＣＤモニタ・アプリケーション等に適用可能である。
【０００４】
ＲＳＤＳとは、液晶コントローラとドライバＩＣとの間を接続するインターフェース規格であり、ＲＳＤＳ出力回路には、バイアス回路から、中心電圧と振幅を制御するための２つのバイアス電圧信号が入力される。ＲＳＤＳ出力回路は、入力された２つのバイアス信号に基づいて、所定の中心電圧を基準とし、所定の電圧幅で振幅する差動信号を出力する（例えば、特許文献１参照）。
【０００５】
ＲＳＤＳインターフェースにおいては、小振幅差動信号での駆動を確実にするために、小振幅差動信号の振幅、コモンレベル等が規定されている。また、ＲＳＤＳインターフェースにおいては、差動対の信号ラインを例えば１００Ωの抵抗によって終端するように規定されている。
【０００６】
このようなＲＳＤＳインターフェースについては、非特許文献１に詳述されている。ＲＳＤＳインターフェースでは、ノーマル配線（Ｌ字形配線）とＴ型配線とが規定されている。
【０００７】
図３はＲＳＤＳインターフェースにおける配線状態を説明するための説明図であり、図３（Ａ）はノーマル配線による配線状態を示し、図３（Ｂ）はＴ型配線による配線状態を示している。図３（Ａ）に示すように、ノーマル配線では、ＲＳＤＳトランスミッタ２１をプリント基板の一端に配置し、ＲＳＤＳインターフェースの配線２２ａ，２２ｂをパネルの一端から一方向に配線する。そして、差動信号を伝送する一対の配線２２ａ，２２ｂに、例えばＴＦＴパネルの各ソースドライバ等の信号の伝送先である複数のＲＳＤＳレシーバ２３を接続する。一対の配線の端部２２ａ，２２ｂは、例えば１００Ωの抵抗によって終端される。
【０００８】
これに対し、Ｔ型配線では、図３（Ｂ）に示すように、ＲＳＤＳトランスミッタ２１はプリント基板の中央に配置される。ＲＳＤＳトランスミッタ２１には、２系統の独立した一対の配線２５ａ，２５ｂ，２６ａ，２６ｂが接続され、プリント基板の両方向に配設される。即ち、一方の配線２５ａ，２５ｂはプリント基板の左半分に配設され、他方の配線２６ａ，２６ｂはプリント基板の右半分に配設される。そして、これらの１対の配線２５ａ，２５ｂ，２６ａ，２６ｂに、複数のＲＳＤＳレシーバ２３が接続されるようになっている。また、この場合に、２系統の各一対の配線２５ａ，２５ｂ，２６ａ，２６ｂの端部は、夫々１００Ωの抵抗２７，２７′によって終端される。
【非特許文献１】National Semiconductor Corporation  「ＲＳＤＳＴＭフラット・パネル・ディスプレイ設計ガイドライン（パート１）」、２００２年５月、www.national.com/JPN
【発明の開示】
【発明が解決しようとする課題】
【０００９】
しかしながら、上述したＲＳＤＳインターフェースのＴ型配線を採用した場合には、ＴＣＯＮの出力端（出力回路の出力端）に、終端抵抗の１／２の抵抗値（＝５０Ω）の抵抗が接続されたことと等価になってしまう。従って、ノーマル配線時とＴ型配線時とでは、相互に異なる特性が得られてしまうという問題点があった。
【００１０】
本発明はかかる問題点に鑑みてなされたものであって、ＲＳＤＳインターフェースにおいて規定されている終端抵抗を接続した場合でも、配線形態に拘わらず同一の特性を得ることができる小振幅差動信号装置を提供することを目的とする。
【課題を解決するための手段】
【００１１】
本発明に係る小振幅差動信号装置は、基準電圧信号が与えられて、前記基準電圧信号に基づく中心電圧レベルの差動信号を出力する差動信号出力回路と、前記差動信号出力回路の出力端に接続される配線の配線形態に応じた複数の前記基準電圧信号を発生する基準電圧信号発生手段と、前記差動信号出力回路の出力端に接続される配線の配線形態に基づいて前記複数の前記基準電圧信号のうちの１つを選択する切換え手段を含み、前記切換え手段が選択した前記基準電圧信号を前記差動信号出力回路に与える制御手段とを具備したことを特徴とする。
【００１２】
このような構成によれば、基準電圧信号発生手段は、差動信号出力回路の出力端に接続される配線の配線形態に応じた複数の基準電圧信号を発生する。切換え手段は、差動信号出力回路の出力端に接続される配線の配線形態に基づいて複数の基準電圧信号のうちの１つを選択する。切換え手段が選択した基準電圧信号は、制御手段によって差動信号出力回路に与えられる。これにより、差動信号出力回路は、配線形態に拘わらず、出力する差動信号の中心電圧レベルを一定にすることができる。
【００１３】
また、前記基準電圧信号発生手段及び前記制御手段は、前記差動信号出力回路に含まれる回路と同等の回路を含んでいることを特徴とする。
【００１４】
このような構成によれば、差動信号出力回路に含まれる回路と同等の回路を用いることによって、簡単な構成で、必要とする基準電圧信号を発生することができる。
【００１５】
本発明に係る小振幅差動信号装置は、正相及び逆相出力端を有し、前記正相及び逆相出力端相互間に接続された終端抵抗に、中心電圧制御用の基準電圧信号に基づく中心電圧の規定の出力信号を発生させる出力部と、前記終端抵抗の複製である複数の複製終端抵抗及び前記出力部の複製である複製出力部を有し、前記複数の複製終端抵抗同士の接続点の電圧を前記出力信号の中心電圧に一致させるための信号を発生して前記出力部に前記中心電圧制御用の基準電圧信号として与える制御手段と、前記複数の複製終端抵抗同士の接続点のうち、前記正相及び逆相出力端相互間の抵抗値に応じた抵抗値を呈する接続点の電圧を前記制御手段に与える切換え手段とを具備したことを特徴とする。
【００１６】
このような構成によれば、出力部の正相及び逆相出力端相互間には終端抵抗が接続される。この終端抵抗に発生する出力信号の中心電圧は中心電圧制御用の基準電圧信号に基づいて設定される。出力信号の中心電圧が規定値となるように、中心電圧制御用の基準電圧信号を出力部に供給する。この中心電圧制御用の基準電圧信号は複製終端抵抗及び複製出力部によって生成される。複製終端抵抗は終端抵抗の複製であり、複製出力部は出力部の複製である。複製終端抵抗に生じる電圧の中心電圧は、終端抵抗の中心電圧に相当する。制御手段は、複製終端抵抗に生じる電圧の中心電圧を、設定しようとする中心電圧に一致させるための信号を発生して出力部に与えることで、終端抵抗に発生させる実際の出力信号の中心電圧を規定する。切換え手段は、複数の複製終端抵抗同士の接続点のうち、正相及び逆相出力端相互間の抵抗値に応じた抵抗値を呈する接続点の電圧を制御手段に与える。これにより、正相及び逆相出力端の終端抵抗の接続形態に拘わらず、出力部からの出力信号の中心電圧を規定値に設定することができる。
【００１７】
また、前記制御手段は、一方入力端に前記複製終端抵抗同士の接続点の電圧が与えられ、他方入力端に設定しようとする前記中心電圧に相当する電圧が与えられて、前記一方入力端の電圧を前記他方入力端の電圧に一致させるようにフィードバックループを構成する比較器を有することを特徴とする。
【００１８】
このような構成によれば、比較器は、一方入力端に与えられる複製終端抵抗同士の接続点の電圧と、他方入力端に与えられる中心電圧に相当する電圧とを比較し、これらの２入力が等しくなるようにバイアス電圧（広義には信号）を発生する。このバイアス電圧を中心電圧制御用のバイアス電圧として出力部に与えることで、出力信号の中心電圧を規定することができる。
【００１９】
また、前記切換え手段は、前記複数の複製終端抵抗同士の接続点のうち、前記正相及び逆相出力端相互間の抵抗値に応じた抵抗値を呈する接続点の電圧を前記比較器の一方入力端に与えるスイッチによって構成されることを特徴とする。
【００２０】
このような構成によれば、スイッチは、複数の複製終端抵抗同士の接続点のうち、正相及び逆相出力端相互間の抵抗値に応じた抵抗値を呈する接続点の電圧を比較器の一方入力端に与える。これにより、正相及び逆相出力端相互間の終端抵抗の接続形態に拘わらず、規定の出力信号の中心電圧を得ることができる。
【００２１】
また、前記複製終端抵抗は、総抵抗値の１／２の抵抗値を呈する接続点及び総抵抗値の１／４の抵抗値を呈する接続点を有することを特徴とする。
【００２２】
このような構成によれば、総抵抗値の１／２の抵抗値を呈する接続点又は総抵抗値の１／４の抵抗値を呈する接続点を選択することで、出力部の正相及び逆相出力端の抵抗値が終端抵抗と同一又は１／２になった場合のいずれにおいても、一定した中心電圧を得ることができる。
【００２３】
また、前記切換え手段は、前記出力部の正相及び逆相出力端相互間に直列に１つの終端抵抗が接続された場合には、前記複製終端抵抗同士の接続点のうち総抵抗値の１／２の抵抗値を呈する接続点の電圧を前記制御手段に与え、前記出力部の正相及び逆相出力端相互間に並列に２つの終端抵抗が接続された場合には、前記複製終端抵抗同士の接続点のうち総抵抗値の１／４の抵抗値を呈する接続点の電圧を前記制御手段に与えることを特徴とする。
【００２４】
このような構成によれば、出力部の正相及び逆相出力端相互間に直列に１つの終端抵抗が接続された場合及び出力部の正相及び逆相出力端相互間に並列に２つの終端抵抗が接続された場合のいずれの場合にも、出力電圧の中心電圧を一定にすることができる。
【発明を実施するための最良の形態】
【００２５】
以下、図面を参照して本発明の実施の形態について詳細に説明する。図１は本発明の一実施の形態に係る小振幅差動信号装置を示すブロック図である。
【００２６】
本実施の形態はＲＳＤＳインターフェースに適用したものである。
【００２７】
本実施の形態の小振幅差動信号装置は、バイアス発生回路１及び出力回路２によって構成されている。バイアス回路１は出力振幅を決定する基準電圧ＰＢを発生すると共に、出力振幅のコモンレベルを決定する基準電圧ＮＢを得るための電圧ＢＧＯＵＴを発生する。例えば、基準電圧ＮＢとしては１．３Ｖが規定されている。出力回路２は複製部３及び出力部４によって構成される。複製部３及び出力部４によって、基準電圧信号発生手段、切換え手段及び制御手段が構成される。
【００２８】
図２は図１中の出力回路２の具体的な構成を示す回路図である。図２において、複製部３は、出力部４の回路構成をモデル化した複製回路を含み、出力部４と同等の回路である複製回路を利用して基準電圧ＮＢを発生するようになっている。即ち、複製部３は、電源端子と基準電位点との間に接続されたＰチャネルトランジスタＱ7 ′，Ｑ1 ′、抵抗Ｒt1，Ｒt2，Ｒt3，Ｒt4及びＮチャネルトランジスタＱ4 ′，Ｑ5 ′，Ｑ6 ′と抵抗Ｒ1 ′と比較器５とスイッチ６とによって構成されている。複製部３のうち抵抗Ｒt1，Ｒt2，Ｒt3，Ｒt4は複製終端抵抗を構成し、他の構成要素は複製出力部を構成する。
【００２９】
ＰチャネルトランジスタＱ7 ′のソースは電源端子に接続され、ドレインはＰチャネルトランジスタＱ1 ′のソースに接続され、ゲートには基準電圧ＰＢが供給される。ＰチャネルトランジスタＱ1 ′は、ゲートが基準電位点に接続され、ドレインは抵抗Ｒt1，Ｒt2，Ｒt3，Ｒt4の直列回路を介してＮチャネルトランジスタＱ4 ′のドレインに接続される。ＮチャネルトランジスタＱ4 ′のゲートは電源端子に接続され、ソースはＮチャネルトランジスタＱ5 ′のドレインに接続される。ＮチャネルトランジスタＱ5 ′のゲートは電源端子に接続され、ソースはＮチャネルトランジスタＱ6 ′のドレインに接続される。ＮチャネルトランジスタＱ6 ′のドレインは抵抗Ｒ1 ′を介して基準電位点に接続され、ソースは基準電位点に接続され、ゲートは制御手段を構成する比較器５の出力端に接続される。
【００３０】
比較器５の一方入力端は切換え手段を構成するスイッチ６を介して抵抗Ｒt2，Ｒt3同士の接続点又は抵抗Ｒt3，Ｒt4同士の接続点に接続され、比較器５の他方入力端には基準電圧Ｂｏｕｔが供給される。比較器５の出力端から基準電圧ＮＢが出力されるようになっている。
【００３１】
出力部４は、インバータＩ1 〜Ｉ5 、ＰチャネルトランジスタＱ1 ，Ｑ2 ，Ｑ7 、ＮチャネルトランジスタＱ3 〜Ｑ6 及び抵抗Ｒ1 によって構成される。即ち、入力端子を介して入力される入力信号ＩＮは、インバータＩ1 〜Ｉ3 の直列回路を介して差動対をなすトランジスタＱ1 ，Ｑ3 のゲートに供給されると共に、インバータＩ4 ，Ｉ5 を介して差動対をなすトランジスタＱ2 ，Ｑ4 のゲートに供給される。
【００３２】
ＰチャネルトランジスタＱ1 ，Ｑ2 のソースは共通接続されてＰチャネルトランジスタＱ7 のドレインに接続され、ドレインは夫々ＮチャネルトランジスタＱ3 ，Ｑ4 のドレインに接続される。トランジスタＱ7 のソースは電源端子に接続され、ゲートには基準電圧ＰＢが印加される。
【００３３】
ＮチャネルトランジスタＱ3 ，Ｑ4 のソースは共通接続されてＮチャネルトランジスタＱ5 のドレインに接続される。ＮチャネルトランジスタＱ5 のソースはＮチャネルトランジスタＱ6 のドレインに接続され、ゲートにはイネーブル信号ＥＮが供給される。ＮチャネルトランジスタＱ6 のドレインは抵抗Ｒ1 を介して基準電位点に接続され、ソースは基準電位点に接続され、ゲートには基準電圧ＮＢが供給される。
【００３４】
トランジスタＱ1 ，Ｑ3 のドレイン同士の接続点（正相出力端）から正相出力ＶOが得られ、トランジスタＱ2 ，Ｑ4 のドレイン同士の接続点（逆相出力端）から逆相出力ＶOXが得られる。これらの正相及び逆相出力端相互間には、終端抵抗Ｒｔが接続されるようになっている。終端抵抗Ｒｔの抵抗値は例えば１００Ωである。なお、正相及び逆相出力端相互間に、信号の伝送先である１つ以上のレシーバ（図示せず）が接続されるようになっている。
【００３５】
トランジスタＱ1 〜Ｑ4 は、入力信号ＩＮの極性に応じて、差動対の一方がオンとなる。例えば、入力信号ＩＮがハイレベルの場合には、トランジスタＱ1 ，Ｑ4 がオンとなり、トランジスタＱ2 ，Ｑ3 はオフとなる。この場合には、電源端子から、トランジスタＱ7 、トランジスタＱ1 、正相出力端、終端抵抗Ｒｔ、逆相出力端及びトランジスタＱ4 を介してトランジスタＱ5 のドレインにいたる電流路が形成される。
【００３６】
トランジスタＱ5 はイネーブル信号ＥＮによってオンとなって、トランジスタＱ7 に印加される基準電圧ＰＢに応じた電流がこの電流路に流れる。また、終端抵抗Ｒｔに現れる出力の中心電圧はトランジスタＱ6 のゲートに印加される基準電圧ＮＢによって制御される。
【００３７】
複製部３はこの場合の出力部４における電流路と同様の電流路の複製を構成するものであり、複製部３のトランジスタＱ7 ′，Ｑ1 ′，Ｑ4 ′，Ｑ5 ′，Ｑ6 ′の寸法は、夫々出力部４のトランジスタＱ7 ，Ｑ1 ，Ｑ4 ，Ｑ5 ，Ｑ6 の寸法の例えば１／１０に形成される。また、抵抗Ｒt1〜Ｒt4の総抵抗値及び抵抗Ｒ1 ′の抵抗値は、夫々、終端抵抗Ｒt の抵抗値及び抵抗Ｒ1 の抵抗値の１０倍に設定される。例えば、この場合には、終端抵抗Ｒｔの抵抗値が１００Ωであるものとすると、抵抗Ｒt1〜Ｒt4の各抵抗値を２５０Ωにすればよい。
【００３８】
抵抗Ｒt1，Ｒt2の抵抗値の和と、抵抗Ｒt3，Ｒt4の抵抗値の和とは同一であり、抵抗Ｒt2，Ｒt3の接続点の電圧は、出力部４の正相出力端と逆相出力端との間の中点電圧（コモンレベル）に相当する。
【００３９】
比較器５に供給する電圧ＢＧＯＵＴを、出力部４の出力のコモンレベルに設定する。そうすると、スイッチ６が端子ａを選択している場合には、比較器５、スイッチ６、抵抗Ｒt3，Ｒt4、トランジスタＱ4 ′〜Ｑ6 ′のフィードバックループによって、比較器５の出力は、抵抗Ｒt2，Ｒt3同士の接続点の電圧（コモンレベル）を電圧ＢＧＯＵＴに一致させるように変化する。比較器５の出力を基準電圧ＮＢとして出力部４のトランジスタＱ6 のゲートに印加することによって、出力部４の正相出力端と逆相出力端との間の中点電圧（コモンレベル）を、電圧ＢＧＯＵＴに一致させることができる。
【００４０】
更に、本実施の形態においては、スイッチ６は、端子ａを介して抵抗Ｒt2，Ｒt3同士の接続点の電圧を比較器５の一方入力端に供給することができるだけでなく、端子ｂを介して抵抗Ｒt3，Ｒt4同士の接続点の電圧を比較器５の一方入力端に供給することもできるようになっている。抵抗Ｒt3，Ｒt4の抵抗値は相互に同一であり、スイッチ６が端子ｂを選択して抵抗Ｒt3，Ｒt4の接続点を比較器５の一方入力端に接続した場合には、比較器５は、抵抗Ｒt3，Ｒt4の接続点の電圧を電圧ＢＧＯＵＴに一致させるように出力を変化させるようになっている。これにより、この場合には、出力部４の正相及び逆相出力端相互間に接続する終端抵抗として、本来の終端抵抗Ｒt の１／２の抵抗値の抵抗を接続した場合に、正しくコモンレベルを与える基準電圧ＮＢが比較器５から出力されることになる。
【００４１】
次に、このように構成された実施の形態の動作について説明する。
【００４２】
トランジスタＱ7 のゲートに与えられる基準電圧ＰＢによって、トランジスタＱ1 〜Ｑ4 及び終端抵抗Ｒtに流れる電流が決定される。終端抵抗Ｒtは、規格に応じた固定値（例えば、１００Ω）であり、基準電圧ＰＢによって終端抵抗Ｒtに流す電流量を規定することで、終端抵抗Ｒtに現れる電圧振幅を規定値に設定している。一方、終端抵抗Ｒtに現れる出力のコモンレベル（中心電圧）は、トランジスタＱ6 のゲートに印加する基準電圧ＮＢによって決定される。
【００４３】
この基準電圧ＮＢは複製部３の比較器５の出力によって得られる。複製部３は、終端抵抗Ｒｔを含む出力部４の電流経路に相当する電流経路によって構成されている。終端抵抗Ｒｔは、複製部３において抵抗Ｒt1〜Ｒt4によって実現される。そして、抵抗Ｒt1，Ｒt2の抵抗値の和と抵抗Ｒt3，Ｒt4の抵抗値の和とは一致しており、抵抗Ｒt2，Ｒt3の接続点に現れる電圧値が終端抵抗Ｒtに現れる電圧振幅のコモンレベルに相当する。
【００４４】
いま、出力部４の正相及び逆相出力端に対してノーマル配線によって図示しない複数のレシーバが接続されているものとする。この場合には、スイッチ６は、端子ａを選択する。そうすると、抵抗Ｒt2 ，Ｒt3の接続点が比較器５の一方入力端に接続される。比較器５は他方入力端に電圧ＢＧＯＵＴが供給されており、比較器５は一方入力端の電圧を他方入力端の電圧に一致させるように、出力を変化させる。即ち、比較器５の出力によってトランジスタＱ6 ′のドレイン・ソースに流れる電流並びにドレイン・ソース間及び抵抗Ｒ1 ′に加わる電圧が制御されて、結果的に、抵抗Ｒt2，Ｒt3の接続点の電圧は電圧ＢＧＯＵＴに一致する。この場合における比較器５の出力をトランジスタＱ6 のゲートに基準電圧ＮＢとして印加することで、終端抵抗Ｒｔに現れる電圧振幅のコモンレベルを電圧ＢＧＯＵＴに一致させることができる。
【００４５】
次に、出力部４の正相及び逆相出力端に対してＴ型配線によって図示しない複数のレシーバを接続するものとする。この場合には、スイッチ６は、端子ｂを選択する。そうすると、抵抗Ｒt3 ，Ｒt4の接続点が比較器５の一方入力端に接続される。
【００４６】
この場合においても、比較器５は一方入力端の電圧を他方入力端に印加される電圧ＢＧＯＵＴに一致させるように、出力を変化させる。即ち、比較器５の出力によってトランジスタＱ6 ′のドレイン・ソースに流れる電流が制御されて、結果的に、抵抗Ｒt3，Ｒt4の接続点の電圧は電圧ＢＧＯＵＴに一致する。この場合における比較器５の出力を基準電圧ＮＢとしてトランジスタＱ6 のゲートに印加する。
【００４７】
抵抗Ｒt3，Ｒt4の抵抗値は相互に一致しており、複製部３の比較器５から得られる出力は、出力部４の正相及び逆相出力端に終端抵抗Ｒｔの１／２の抵抗値の終端抵抗が接続された場合において、規定の電圧振幅のコモンレベルを得るために必要な基準電圧ＮＢとなる。
【００４８】
これにより、Ｔ型配線時において、出力部４の正相及び逆相出力端相互間に見かけ上、規定の１／２の抵抗値の終端抵抗が接続された場合でも、規定と同一の電圧振幅のコモンレベルを得ることができる。
【００４９】
このように、本実施の形態においては、出力部４に接続する終端抵抗に相当する複製部３の抵抗を複数の抵抗に分け、出力部４の正相及び逆相出力端相互間に接続される終端抵抗の見かけ上の抵抗値に応じた抵抗同士の接続点の電圧を利用して、基準電圧ＮＢを生成していることから、終端抵抗の見かけ上の抵抗値に拘わらず、規定と同一の電圧振幅のコモンレベルを得ることができ、ノーマル配線及びＴ型配線のいずれの配線形態であっても、同一特性の出力信号を得て、確実な動作を可能にすることができる。
【図面の簡単な説明】
【００５０】
【図１】図１は本発明の一実施の形態に係る小振幅差動信号装置を示すブロック図。
【図２】図１中の出力回路２の具体的な構成を示す回路図。
【図３】ＲＳＤＳインターフェースにおける配線形態を示す説明図。
【符号の説明】
【００５１】
２…出力回路、３…複製部、４…出力部、５…比較器、６…スイッチ、Ｑ1 ′〜Ｑ7 ′，Ｑ1 〜Ｑ7 …トランジスタ、Ｒｔ，Ｒt1〜Ｒt4，Ｒ1 ′，Ｒ1 …抵抗。
【図１】
2005086511.tif 000003
【図２】
2005086511.tif 000004
【図３】
2005086511.tif 000005